(57)【要約】【課題】  リールユニットの組み立て時の作業効率を向上させながら、リールモジュールと収納ラックとのガタツキをなくし、リールの回転に伴う異音の発生を抑制する遊技機を提供する。【解決手段】  リールユニット４は、リール４１、モータ、及びこれらを支持するベース体４２を少なくとも備えるリールモジュール４０を複数有するとともに、リールモジュール４０を挿入可能な開口部４６１を有し、複数のリールモジュール４０を水平方向に積層させて収納可能な収納ラック４６と、開口部４６１から挿入されたリールモジュール４０を取り付け位置までガイドするガイド溝と、取り付け位置に至ったリールモジュール４０を圧入によって仮固定する仮固定手段と、ネジ１を介してリールモジュール４０を脱抜不能に固定する本固定手段と、を備える構成としてある。【選択図】      図４
2013022046.tif 000002
【特許請求の範囲】
【請求項１】
外周面に図柄の表された複数のリールを収納するリールユニットを備える遊技機であって、
前記リールユニットは、
前記リール、前記リールを回転駆動させるモータ、及びこれらを支持するベース体を少なくとも備えるリールモジュールを複数有するとともに、
前記リールモジュールを挿入可能に開口された開口部を有し、前記複数のリールモジュールを水平方向に積層させて収納可能な収納ラックと、
前記開口部から挿入された前記リールモジュールをその取り付け位置までガイドするガイド手段と、
前記取り付け位置に至った前記リールモジュールを脱抜可能としながら前記収納ラックに仮固定する仮固定手段と、
前記仮固定された前記リールモジュールを脱抜不能に前記収納ラックに固定する本固定手段と、を備える
ことを特徴とする遊技機。
【請求項２】
前記ガイド手段は、
前記収納ラックに形成されたガイド部と、前記ベース体に形成された被ガイド部とからなり、
前記ガイド部と前記被ガイド部との係合によって、前記開口部からの押し込み操作により、前記ベース体を直立させた状態のまま前記取り付け位置まで前記リールモジュールがガイドされる
ことを特徴とする請求項１記載の遊技機。
【請求項３】
前記仮固定手段は、
前記ガイド手段によりガイドされながらの前記取り付け位置の手前からの押し込み操作によって、前記ベース体又は前記収納ラックのいずれか一方が他方を揺動不能に挟持する圧入構造からなる
ことを特徴とする請求項１又は２記載の遊技機。
【請求項４】
前記ガイド部は、前記収納ラック内の底面及び上面に形成され、開口部側から背面側まで延設されたガイド溝からなり、
前記被ガイド部は、前記ガイド溝に嵌る前記ベース体の上端部及び下端部からなり、
前記圧入構造は、
前記取り付け位置において前記上端部及び下端部が前記ガイド溝に圧入されて挟持される構成からなるとともに、前記底面及び前記上面ともに前記開口部側と前記背面側にそれぞれ設けられた
ことを特徴とする請求項３記載の遊技機。
【請求項５】
前記ベース体及び前記収納ラックを所定の合成樹脂で成形したことを特徴とする請求項１〜４のいずれか一項に記載の遊技機。
【発明の詳細な説明】
【技術分野】
【０００１】
本発明は、外周面に図柄の表された複数のリールを収納するリールユニットを備える遊技機に関し、特に、リールの回転に伴う振動の発生を抑制する遊技機に関する。
【背景技術】
【０００２】
スロットマシン、パチンコ機などの遊技機には、外周面に図柄の表された複数のリールを備えるものがある。
例えば、スロットマシンは、遊技者が遊技媒体となる遊技用のメダル（コイン）や遊技球（パチンコ球）を投入してスタートレバーを押下操作することにより、外周面に所定の絵柄や数字，文字等の図柄が表された複数のリール（通常３個のリール）が回転を開始し、定速回転後、任意のタイミングで停止ボタンが押されることでリールが停止し、停止したリール上の図柄の組合せに応じて所定数の遊技媒体が払い出されるように構成され、このような複数のリールは、一体的にユニット化されたリールユニットに収納されている。
【０００３】
リールユニットには、通常、上記のリール、リールを回転駆動させるモータ、及びリールを軸支するモータが取り付けられるベース体を有する複数のリールモジュールと、リールモジュールを挿入可能に前方が開口され、複数のリールモジュールを水平方向に積層させて収納可能な収納ラックと、を備えている。
【０００４】
ところで、このようなリールユニットにおいて、リールの回転によって発生する振動が問題となっていた。
リールモジュールは、ベース体を収納ラックに直立させた状態で固定することで、収納されるようになっている。このベース体には、リールを軸支するモータが取り付けられているので、リールが回転するとベース体が振動することになり、これにより、ベース体と収納ラックとの間で異音が発生することがあった。このような異音は、ベース体と収納ラックとの間にある僅かなガタツキに起因するものである。
そこで、特許文献１には、収納ラックとの係合に際して圧接するバネ部をベース体に形成し、ベース体と収納ラックとの間のガタツキをなくす発明が開示されている。
【先行技術文献】
【特許文献】
【０００５】
【特許文献１】特開２００３−２３６０３６号公報
【発明の概要】
【発明が解決しようとする課題】
【０００６】
しかしながら、特許文献１に記載のリールユニットでは、取り付けの際にバネ部を弾性変形させるとともに、これを収納ラックに押し付けながらネジを取り付けなければならないことから、組み立て時の作業効率を悪化させていた。
【０００７】
本発明は、このような問題を解決するために提案されたもので、リールモジュールをガイドに沿って収納ラックに押し込むだけで、リールモジュールがガタツキなく収納ラックに固定される遊技機の提供を目的とする。
【課題を解決するための手段】
【０００８】
上記目的を達成するため、本発明の遊技機は、外周面に図柄の表された複数のリールを収納するリールユニットを備える遊技機であって、前記リールユニットは、前記リール、前記リールを回転駆動させるモータ、及びこれらを支持するベース体を少なくとも備えるリールモジュールを複数有するとともに、前記リールモジュールを挿入可能に開口された開口部を有し、前記複数のリールモジュールを水平方向に積層させて収納可能な収納ラックと、前記開口部から挿入された前記リールモジュールをその取り付け位置までガイドするガイド手段と、前記取り付け位置に至った前記リールモジュールを脱抜可能としながら揺動不能に前記収納ラックに仮固定する仮固定手段と、前記仮固定された前記リールモジュールを脱抜不能に前記収納ラックに固定する本固定手段と、を備える構成としてある。
【発明の効果】
【０００９】
本発明に係る遊技機によれば、リールユニットの組み立て時の作業効率を向上させながら、リールモジュールと収納ラックとのガタツキをなくすことにより、リールの回転に伴う振動や異音の発生を抑制することができる。
【図面の簡単な説明】
【００１０】
【図１】遊技機の概略正面図である。
【図２】遊技機の内部構成を示す概略斜視図である。
【図３】リールユニットの外観斜視図を示し、（ａ）は、前方から見た斜視図であり、（ｂ）は、後方から見た斜視図である。
【図４】リールユニットの分解斜視図である。
【図５】リールモジュールの分解斜視図である。
【図６】収納ラックの外観斜視図を示し、（ａ）は、上方から見た斜視図であり、（ｂ）は、下方から見た斜視図である。
【図７】収納ラックを示し、（ａ）は、正面図であり、（ｂ）は、Ａ−Ａ断面矢視図である。
【図８】収納ラックを示し、（ａ）は、Ｂ−Ｂ断面矢視図であり、（ｂ）は、Ｃ−Ｃ断面矢視図である。
【図９】収納ラックを示し、（ａ）は、側面図であり、（ｂ）は、Ｄ−Ｄ断面矢視図である。
【図１０】ベース体の外観斜視図を示し、（ａ）は、前方から見た斜視図であり、（ｂ）は、後方から見た斜視図である。
【図１１】リールユニットを示し、（ａ）は、正面図であり、（ｂ）は、Ｅ−Ｅ断面矢視図と圧入構造を示す要部拡大図である。
【発明を実施するための形態】
【００１１】
以下、本発明に係る遊技機の好ましい実施形態について、各図を参照して説明する。
リールユニットを備える遊技機には、スロットマシンをはじめ、パチンコ機など様々な種類があるが、本実施形態では、スロットマシンを実施例に挙げて説明する。
【００１２】
本実施形態のスロットマシン１は、複数のリールを回転させることによって遊技媒体であるメダルを獲得できる一般的な回胴式遊技機であるものの、リールユニットの組み立て時の作業効率を向上させながら、リールモジュールと収納ラックとのガタツキをなくすようになっている。
以下、このような作用効果を発揮する本実施形態に係るスロットマシン１の各部の構成について詳述する。
【００１３】
［スロットマシン本体］
図１は、スロットマシンの外観を示す概略正面図、図２は、スロットマシンの内部構成を示す概略斜視図である。
これらの図に示すように、本実施形態のスロットマシン１は、複数のリール４１ａ，４１ｂ，４１ｃを回転させることによって遊技媒体であるメダルを獲得することができる回胴式遊技機を構成している。
【００１４】
スロットマシン１は、正面側が開口した筐体１ｂと、筐体１ｂの正面側を開閉可能に覆う前扉１ａとで構成され、内部には、マイクロコンピュータ等で構成された制御部１０、制御部１０からの指令により、表示器８，スピーカ９，ＬＥＤ等のランプ類を制御する演出制御部２０、及び必要な機械，装置等が収納されている。
【００１５】
前扉１ａは、図２に示すように、スロットマシン１の筐体１ｂにヒンジ等を介して開閉可能に取り付けられる扉体で、この前扉１ａに遊技操作に係る複数の操作手段が設けられて、スロットマシン１の正面部を構成している。
【００１６】
操作手段としては、メダルが投入されるメダル投入口２と、装置内部にクレジットとして貯留されたメダルをゲームに投じるベットボタン２ａと、各リール４１ａ，４１ｂ，４１ｃの回転を始動させるスタートレバー３と、回転している各リール４１ａ，４１ｂ，４１ｃを停止させる３つの停止ボタン５ａ，５ｂ，５ｃなどが設けられている。
さらに、前扉１ａには、各リール４１ａ，４１ｂ，４１ｃに表示された図柄を視認可能とする表示窓６が、各操作手段の上側に設けられている。また、前扉１ａ上部には、効果音等が出力されるスピーカ９が設けられている。
【００１７】
筐体１ｂの中央には、リール４１ａ，４１ｂ，４１ｃ備えるリールユニット４が設けられる。
また、筐体１ｂの下部には、メダルの貯留・払出しを行うメダル払出装置７が設けられる。メダル払出装置７には、メダルを貯留するホッパー７ａが設けられ、メダル投入口２より投入されたメダルは、メダルセレクタ２ｂにより検出されるとともに、ホッパー７ａに誘導されるようになっている。
【００１８】
スロットマシン１では、上記の各操作手段からの信号やメダルセレクタ２ｂからの信号に基づき、制御部１０が、リールユニット４、メダル払出装置７などの各装置を制御することで、以下のようなスロットマシン遊技が進行する。
【００１９】
具体的には、遊技者によりメダル投入口２からメダルが投入されると、メダルがメダルセレクタ２ｂにより検出され、検出信号が制御部１０に入力される。また、ベットボタン２ａが操作された場合は、その検出信号が制御部１０に入力される。制御部１０は、これらの検出信号の入力数からゲーム可能なメダル数を監視するとともに、スタートレバー３の操作を監視する。
ゲーム可能なメダル数となったときに、スタートレバー３が操作されると、制御部１０は、リールユニット４に対して、各リール４１ａ，４１ｂ，４１ｃを回転させる制御を行う。
【００２０】
さらに、制御部１０は、スタートレバー３が操作されたときに、ボーナス役、小役、再遊技役、ハズレの複数の抽選対象の中から今回ゲームの当選対象を抽選する内部抽選を行い、各停止ボタン５ａ，５ｂ，５ｃが押下操作されたタイミングに基づき、抽選結果に応じた図柄の組合せで停止するよう、回転している各リール４１ａ，４１ｂ，４１ｃの停止制御を行う。
【００２１】
また、制御部１０は、各リール４１ａ，４１ｂ，４１ｃに停止表示される図柄の組合せを判定し、所定の図柄の組合せのときには、メダル払出装置７に対して所定数のメダルを払い出す制御を行い、メダルをメダル払出口７ｂから払い出す。
【００２２】
このように構成されたスロットマシン１において、各リール４１ａ，４１ｂ，４１ｃを個別に回転可能に軸支しながら収納する装置がリールユニット４であり、このリールユニット４には、リール４１を含め、リール４１を回転駆動させるモータ４３、これらを支持するベース体４２を備えるリールモジュール４０と、複数のリールモジュール４０を水平方向に積層させて収納可能な収納ラック４６とが設けられている。
そして、このリールユニット４が、収納ラック４６に挿入されたリールモジュール４０をその取り付け位置までガイドするガイド手段と、取り付け位置に至ったリールモジュール４０を収納ラック４６に仮固定する仮固定手段と、仮固定されたリールモジュール４０を本固定する本固定手段と、を備えることにより、リールユニット４の組み立て時の作業効率を向上させながら、リールモジュール４０と収納ラック４６とのガタツキをなくすことにより、リール４１の回転に伴う振動や異音の発生が抑制されるようになっている。
以下、本実施形態に係るリールユニット４について詳述する。
【００２３】
［リールユニット］
図３は、リールユニットの外観斜視図を示し、（ａ）は、前方から見た斜視図、（ｂ）は、後方から見た斜視図であり、図４は、リールユニットの分解斜視図である。また、図５は、リールモジュールの分解斜視図である。
これらの図に示すように、本実施形態に係るリールユニット４は、それぞれ一つずつリール４１を有する三つのリールモジュール４０（４０ａ，４０ｂ，４０ｃ）と、これらを収納する収納ラック４６と、基板ユニット４７とを備え、各リール４１をそれぞれ独立して回転制御可能に構成されている。
【００２４】
本実施形態のリールモジュール４０は、収納ラック４６の左端に収納される左リールモジュール４０ａと、中央に収納される中リールモジュール４０ｂと、右端に収納される右リールモジュール４０ｃと、からなる三つのリールモジュールからなり、収納ラック４６の開口部４６1から挿着されるようになっている。
リールモジュール４０は、図５に示すように、リール４１と、ベース体４２と、モータ４３（パルスモータ）と、光センサ４４（フォトインタラプタ）と、照明ユニット４５とから構成されている。
【００２５】
リール４１は、複数種類の図柄が表された帯状シート４１１と、帯状シート４１１を円筒状に保形する環状のリングフレーム４１２と、モータ４３に軸支されつつその縁端で帯状シート４１１を円筒状に保形するホイールフレーム４１３とから構成されている。
リール４１は、ネジ３を介して軸４３２に軸止されるホイールフレーム４１３がモータ４３によって駆動されて回転するとともに、ホイールフレーム４１３に形成された遮光板が光センサ４４の光路を遮ることで、その回転位置を検出できるようになっている。
【００２６】
照明ユニット４５は、帯状シート４１１と軸４３２との間に配置され、帯状シート４１１の後方から図柄を照らす発光装置であり、光源としてのＬＥＤの実装されたＬＥＤ基板４５２と、これを支持する基板ホルダー４５１から構成されている。
【００２７】
ベース体４２は、略板状に成形された合成樹脂（例えば、ＡＢＳ樹脂）からなり、モータ４３と、光センサ４４と、照明ユニット４５の取り付け部となっている。
具体的には、図５に示すように、ベース体４２には、その後方から挿入されるモータ４３がネジ２を介して固定されるとともに、同じく後方から挿入される光センサ４４が所定の凹部に嵌挿されて固定されるようになっている。さらに、前方から照明ユニット４５がネジ４を介して固定されるようになっている。つまり、ベース体４２には、モータ４３と、光センサ４４と、照明ユニット４５が固定されているので、モータ４３に軸支されたリール４１もベース体４２が支えるようになっている。
このようにベース体４２にはすべての部品が取り付けられることから、後述するように、ベース体４２を、ネジ１を介して収納ラック４６に固定可能に構成することで、リールモジュール４０が収納ラック４６に脱抜不能に収納されることになる。
【００２８】
また、ベース体４２には、モータ４３と、光センサ４４と、照明ユニット４５が固定されているので、モータ４３からのモータ配線４３１と、光センサ４４からのセンサ配線４４１と、ＬＥＤ基板４５２からのＬＥＤ配線４５２１がベース体４２に集結することになる。
そこで、ベース体４２は、これらの配線をリールモジュール４０ごとに配線ケーブルＫ（Ｋａ，Ｋｂ，Ｋｃ）として一つに束ねて、基板ユニット４７に向けて引き出すようなっている。
本実施形態では、収納ラック４６の上面に基板ユニット４７を配置したことから、配線ケーブルＫ（Ｋａ，Ｋｂ，Ｋｃ）は、ベース体４２の上方へ引き出されるとともに、各リール４１に絡まないように、リール４１の配置された面の反対側の面に沿って引き出されるようになっている。
【００２９】
基板ユニット４７は、図示しない中継基板と基板カバーとから構成されている。
中継基板は、所定の配線ケーブルを介して制御部１０と演出制御部２０と接続されるとともに、さらに、モータ配線４３１と、センサ配線４４１と、ＬＥＤ配線４５２１が接続されるようになっている。
【００３０】
このような構成からなるリールユニット４において、ベース体４２を介してリールモジュール４０を収納ラック４６に固定することで、リールモジュール４０と収納ラック４６とのガタツキをなくすことができるとともに、リール４１の回転に伴う振動や異音の発生が抑制されるようになっている。
以下、収納ラック４６とベース体４２について詳述する。
【００３１】
図６は、収納ラックの外観斜視図を示し、（ａ）は、上方から見た斜視図、（ｂ）は、下方から見た斜視図であり、図７は、収納ラックを示し、（ａ）は、正面図、（ｂ）は、Ａ−Ａ断面矢視図であり、図８は、（ａ）は、Ｂ−Ｂ断面矢視図、（ｂ）は、Ｃ−Ｃ断面矢視図であり、図９は、同じく収納ラックを示し、（ａ）は、側面図、（ｂ）は、Ｄ−Ｄ断面矢視図である。
また、図１０は、ベース体の外観斜視図を示し、（ａ）は、前方から見た斜視図、（ｂ）は、後方から見た斜視図であり、図１１は、リールユニットを示し、（ａ）は、正面図、（ｂ）はＥ−Ｅ断面矢視図と圧入構造を示す要部拡大図である。
【００３２】
本発明に係るガイド手段と、仮固定手段と、本固定手段は、それぞれベース体４２と収納ラック４６に分散して配置され、ベース体４２と収納ラック４６との物理的な相互の係り合いにより、その機能が実現されるようになっている。
【００３３】
［収納ラック］
収納ラック４６は、図６〜図９に示すように、リールモジュール４０を挿入可能に開口された開口部４６１と、その開口部４６１内側に、底面４６２と、上面４６３と、背面４６４と、下側傾斜面４６５と、上側傾斜面４６６とを有する、有底筒状に形成された合成樹脂（例えば、ＡＢＳ樹脂）からなり、複数のリールモジュール４０を水平方向に積層させて収納可能に構成されている。
本実施形態では、リールモジュール４０の収納は、ベース体４２を介して行われ、収納ラック４６がベース体４２を支持（挟持）することにより、各リール４１が回転可能な状態で取り付けられるようになっている。
【００３４】
このような取り付けを実現するために、収納ラック４６には、底面４６２に形成された底面側ガイド溝４６２１（ａ〜ｃ）と、上面４６３に形成された上面側ガイド溝４６３１（ａ〜ｃ）と、下側傾斜面４６５に形成された下側取り付け溝４６５１（ａ〜ｃ）と、上側傾斜面４６６に形成された上側取り付け溝４６６１（ａ〜ｃ）とが、それぞれ開口部４６１側から背面４６４側に向かって凹設（延設）されている。
底面側ガイド溝４６２１と上面側ガイド溝４６３１は、それぞれ開口部４６１側に形成され、背面４６４側に形成された下側取り付け溝４６５１と上側取り付け溝４６６１に連続して繋がるようになっている。
これらのガイド溝（４６２１，４６３１）と取り付け溝（４６５１，４６６１）は、各リールモジュール４０ａ〜４０ｃのベース体４２に対応して複数設けられるとともに、これらの溝幅は、ベース体４２の縁端部が嵌り込み可能に、ベース体４２の板厚より広く、かつ、開口部４６１側から背面４６４側に向かうに従って狭くなるように形成されている（例えば、図８（ａ）、（ｂ）参照）。
【００３５】
下側取り付け溝４６５１と上側取り付け溝４６６１は、後述するベース体４２の傾斜部４２３，４２４を支持（挟持）する部分であり、開口部４６１側からの押し込み操作されたベース体４２（リールモジュール４０）が最終的に到達して取り付けられる取り付け位置となっている。
つまり、下側取り付け溝４６５１と上側取り付け溝４６６１は、それぞれ底面側ガイド溝４６２１と上面側ガイド溝４６３１の終端部となっており、本発明に係るガイド部（ガイド溝）の一部として形成されている。
【００３６】
底面側ガイド溝４６２１と上面側ガイド溝４６３１は、本発明に係るガイド部（ガイド溝）として機能し、ベース体４２に形成された被ガイド部として機能する上端部及び下端部との係合（凹凸嵌合）によって、開口部４６１側からの押し込み操作により、ベース体４２を直立させた状態のままその取り付け位置（下側取り付け溝４６５１、上側取り付け溝４６６１）までリールモジュール４０をガイドするようになっている。
すなわち、底面側ガイド溝４６２１と上面側ガイド溝４６３１は、溝状のガイドレールとして機能し、ベース体４２の上端部及び下端部が溝に嵌り込むことにより、取り付け位置までリールモジュール４０が案内されるようになっている。
さらに、底面側ガイド溝４６２１と上面側ガイド溝４６３１の始まりを、開口部４６１からとしてあるため、開口部４６１から挿入されるベース体４２の溝への嵌り込みが容易になる。
また、底面側ガイド溝４６２１と上面側ガイド溝４６３１は、ガイド部（ガイド溝）としてのみならず、ベース体４２の上端部及び下端部を支持（挟持）する取り付け溝としても機能するようになっている。
【００３７】
さらに、収納ラック４６には、図７に示すように、ネジ１の螺入されるネジ穴となる、底面側ネジ固定部４６２２（ａ〜ｃ）と、上面側ネジ固定部４６３２（ａ〜ｃ）とが穿設されている。
これらのネジ固定部（４６２２，４６３２）は、後述するベース体４２のネジ孔（４２１１ａ，４２２１ａ）を貫通させたネジ１が螺入されることにより、ベース体４２を介してリールモジュール４０を開口部４６１から引き出し（脱抜）不能に収納ラック４６に本固定する本固定手段として機能するようになっている。
【００３８】
［ベース体］
一方のベース体４２には、このような溝形状を有するガイド溝及び取り付け溝に嵌り込み可能な縁端部が形成されている。
具体的には、ベース体４２には、図１０に示すように、上面側ガイド溝４６３１に嵌る上端部４２１と、底面側ガイド溝４６２１に嵌る下端部４２２と、上側取り付け溝４６６１に嵌る上端傾斜部４２３と、下側取り付け溝４６５１に嵌る下端傾斜部４２４とが形成され、収納ラック４６の開口部４６１側に配置される前端部４２５、及び背面４６４側に配置（当接）される後端部４２６を除いたベース体４２のすべての縁端部がガイド溝（４６２１，４６３１）及び取り付け溝（４６５１，４６６１）に嵌り込むようになっている。
【００３９】
上端部４２１と下端部４２２は、本発明に係る被ガイド部として機能し、ガイド部として機能する上面側ガイド溝４６３１と底面側ガイド溝４６２１とにそれぞれが嵌り込むことで、開口部４６１側からの押し込み操作により、ベース体４２を直立させた状態のまま取り付け位置までリールモジュール４０がガイドされることになる。
また、上端傾斜部４２３と下端傾斜部４２４は、それぞれ上端部４２１と下端部４２２に連続して形成されていることから、上端部４２１と下端部４２２の一部となっている。
【００４０】
また、ベース体４２は、前端部４２５から後端部４２６に向かうに従ってその板厚が薄くなる断面クサビ状を有している。すなわち、ベース体４２は、上端部４２１から上端傾斜部４２３に向かうに従って、また、下端部４２２から下端傾斜部４２４に向かうに従って板厚が薄くなるように形成されている。
前述したように、ガイド溝（４６２１，４６３１）と取り付け溝（４６５１，４６６１）の溝幅は、開口部４６１側から背面４６４側に向かうに従って次第に狭くなるように形成されている。このような形成は、ベース体４２の有するクサビ形状に合わせるためである。
【００４１】
これにより、ベース体４２の縁端部をガイド溝と取り付け溝に嵌め込むにあたって、開口部４６１側では板厚の薄い後端部４２６が最初に嵌ることになるため、リールモジュール４０の収納ラック４６への挿入が容易になるとともに、ベース体４２はこの溝幅に合わせた断面クサビ状に形成されていることから、最終的な取り付け位置（下側取り付け溝４６５１、上側取り付け溝４６６１）では、ほぼ隙間の生じないベース体４２とガイド溝及び取り付け溝との嵌め合いが実現される。
【００４２】
すなわち、取り付け位置（下側取り付け溝４６５１、上側取り付け溝４６６１）に達したベース体４２は、上端部４２１が上面側ガイド溝４６３１に挟持されるとともに、下端部が底面側ガイド溝４６２１に挟持される。さらに、上端傾斜部４２３が上側取り付け溝４６６１に挟持されるとともに、下端傾斜部４２４が下側取り付け溝４６５１に挟持されることになり、前端部４２５及び後端部４２６を除いたベース体４２のすべての縁端部がガイド溝（４６２１，４６３１）及び取り付け溝（４６５１，４６６１）に挟持されることになる。
【００４３】
このような最終的な取り付け位置での嵌め合いに加えて、さらに、ベース体４２が取り付け位置に到達したときに初めて作用する圧入構造が設けられている。
この圧入構造は、ベース体４２の板厚を局所的に厚くするための凸部を縁端部に形成し、この凸部の部分をガイド溝及び取り付け溝に圧入させて強固に挟持させるように構成したものである。
【００４４】
具体的には、ベース体４２は、開口部４６１（前端部４２５）側に、開口側上凸部４２１２（ａ，ｂ）と、開口側下凸部４２２２（ａ，ｂ）とを有し、背面４６４（後端部４２６）側に、背面側上凸部４２３１（ａ，ｂ）と、背面側下凸部４２４１（ａ，ｂ）とを有する。
各凸部は、左右（ａ，ｂ）両面に形成され、それぞれの形成位置で、ベース体４２の板厚を局所的に厚くする機能を有している。
【００４５】
詳細には、開口側上凸部４２１２と開口側下凸部４２２２では、それぞれの左右凸部（ａ，ｂ）の頂面間の距離は、ガイド溝（４６２１，４６３１）の溝幅より大きな値（例えば、＋０．５ｍｍ）となっており、背面側上凸部４２３１と背面側下凸部４２４１では、それぞれの左右凸部（ａ，ｂ）の頂面間の距離は、取り付け溝（４６５１，４６６１）の溝幅より大きな値（例えば、＋０．５ｍｍ）となっている。
【００４６】
そして、これらの凸部は、開口部４６１側からの押し込み操作により、ベース体４２が取り付け位置に到達したときに初めてその効果を発揮する。
具体的には、背面側上凸部４２３１と背面側下凸部４２４１は、上面側ガイド溝４６３１と底面側ガイド溝４６２１にガイドされることなく、すなわち、これらに干渉することなく、上側取り付け溝４６６１と下側取り付け溝４６５１に到達することができる。
また、開口側上凸部４２１２と開口側下凸部４２２２は、開口部４６１側に形成されていることから、ベース体４２が取り付け位置に到達したときに初めて、上面側ガイド溝４６３１と底面側ガイド溝４６２１との係りが生じるようになっている。
【００４７】
このような形状の大小関係及び配置関係から、ベース体４２が取り付け位置に達する手前で、ベース体４２を背面４６４側に押し込む力をさらに加えることで、背面側上凸部４２３１と背面側下凸部４２４１が、上側取り付け溝４６６１と下側取り付け溝４６５１に圧入されて挟持されるとともに、開口側上凸部４２１２と開口側下凸部４２２２が、上面側ガイド溝４６３１と底面側ガイド溝４６２１に圧入されて挟持されることになる。
【００４８】
図１１（（ｂ）の要部拡大図参照）は、開口側上凸部４２１２（ａ，ｂ）が上面側ガイド溝４６３１に圧入されて挟持された様子を示したもので、特に、凸部が溝に圧入され易いように、開口側上凸部４２１２（ａ，ｂ）は、その後端部４２６側と上端部４２１（側面）とが滑らかに繋がるテーパー構造を有していることが分かる（その他の凸部も同形状）。
【００４９】
このようなベース体４２のガイド溝及び取り付け溝への圧入により、取り付け位置に至ったリールモジュール４０は、開口部４６１側に引き出し（脱抜）可能としながら揺動不能に収納ラック４６に仮固定されることになる。特に、このような圧入構造を、上端部４２１側と下端部４２２側に加え、開口部４６１側と背面４６４側の合計四箇所となる四隅に設けたことから、ベース体４２は収納ラック４６にガタツキなく挟持されることになる。これにより、リールモジュール４０と収納ラック４６とのガタツキがなくなり、リール４１の回転に伴う異音（振動）の発生を抑制することができる。
【００５０】
さらに、ベース体４２には、収納ラック４６の上面４６３にネジ固定される上端固定部４２１１と、底面４６２にネジ固定される下端固定部４２２１とが形成されている。
上端固定部４２１１と下端固定部４２２１には、それぞれネジ孔４２１１ａ，４２２１ａが形成され、これらのネジ孔を貫通したネジ１を上面側ネジ固定部４６３２と、底面側ネジ固定部４６２２に螺入させることで、ベース体４２を収納ラック４６に螺着することができる。
これにより、圧入構造によって仮固定されたリールモジュール４０が、引き出し（脱抜）不能に収納ラック４６に本固定されることになる。
【００５１】
［リールモジュールの取り付け方法］
以上のように構成されたベース体４２と収納ラック４６により、リールモジュール４０は、収納ラック４６に以下のように取り付けられる。
まず、リールモジュール４０を、ベース体４２の後端部４２６側が先頭となるように、収納ラック４６の開口部４６１から挿入する。
挿入あたり、ベース体４２を直立させるとともに、ベース体４２の上端部４２１と下端部４２２とがそれぞれ上面側ガイド溝４６３１と底面側ガイド溝４６２１に嵌るように挿入する。このときには、ベース体４２のクサビ形状がガイド溝への挿入を助けるように作用するので、組み立て作業が容易になる。
【００５２】
そして、そのままリールモジュール４０を収納ラック４６内に押し込む。実際の押し込み操作は、ベース体４２の前端部４２５を指で軽く押すことにより行うことができる。
この押し込み操作では、ベース体４２の上端部４２１と下端部４２２がそれぞれ上面側ガイド溝４６３１と底面側ガイド溝４６２１にガイドされているので、ベース体４２が左右に倒れ込むことなく、リールモジュール４０をその取り付け位置まで容易に到達させることができるので、作業効率の向上が図られる。
また、ベース体４２と収納ラック４６はともに合成樹脂製（例えば、ＡＢＳ樹脂など）の成形品であることから、接触面での摺動性に優れているので円滑な挿入が実現されるとともに、金属製（板金）に比べて抜き工程や、曲げ工程などの製造工程を削除できることから、生産効率が良く、製造コストを削減することができる。また、金属製よりも重量を軽くすることができるので組み立て時の作業効率が向上する。
【００５３】
ところが、取り付け位置に達する直前で、ベース体４２に形成した凸部（４２１２，４２２２，４２３１，４２４１）が、取り付け位置へのリールモジュール４０の到達を妨げるように作用する。
そこで、さらに、ベース体４２の前端部４２５を親指等で押し、リールモジュール４０を収納ラック４６内に押し込む。
これにより、ベース体４２の凸部（４２１２，４２２２，４２３１，４２４１）が、ガイド溝及び取り付け溝に圧入され、上端部４２１が上面側ガイド溝４６３１に、下端部４２２が底面側ガイド溝４６２１に、さらに、上端傾斜部４２３が上側取り付け溝４６６１に、下端傾斜部４２４が下側取り付け溝４６５１に強固に挟持されることとなり、前端部４２５及び後端部４２６を除いたベース体４２のすべての縁端部がガイド溝及び取り付け溝にガタツキなく挟持され、リールモジュール４０は収納ラック４６に揺動不能に仮固定されることになる。
【００５４】
次いで、ネジ１をネジ孔（４２１１ａ，４２２１ａ）に貫通させるとともにネジ固定部（４６３２，４６２２）に螺入させることで、ベース体４２が収納ラック４６にネジ固定され、これにより、リールモジュール４０は収納ラック４６に本固定されることになる。
【００５５】
以上説明したように、本実施形態のスロットマシン１によれば、リールユニット４の組み立て時の作業効率を向上させながら、リールモジュール４０と収納ラック４６とのガタツキをなくすことができるので、リール４１の回転に伴う異音（振動）の発生を抑制することができる。
【００５６】
以上、本発明の遊技機の好ましい実施形態について説明したが、本発明に係る遊技機は上述した実施形態にのみ限定されるものではなく、本発明の範囲で種々の変更実施が可能であることはいうまでもない。
例えば、本実施形態では、ガイド溝（４６２１，４６３１）の始まりを開口部４６１からとしたが、開口部４６１から取り付け溝（４６５１，４６６１）に至るまでの間の何れの位置から始まるように形成してもよい。
【００５７】
また、本実施形態では、凸部（４２１２，４２２２，４２３１，４２４１）を、開口部側と背面側の両方に設けたが、背面側のみに設けることもできる。また、凸部を、左右両側に設けたが、片側だけでもよい。
また、本実施形態では、ベース体４２に凸部を形成して、これをガイド溝及び取り付け溝に圧入するように構成したが、ガイド溝及び取り付け溝に凸部を形成してもよい。
なお、ベース体４２、ガイド溝及び取り付け溝の何れにも凸部を設けない構成とすることもできる。これにより、ベース体４２と、ガイド溝及び取り付け溝との間に僅かな隙間が生じるものの、振動や異音は従来に比べて格段に低減できる。
【００５８】
また、凸部を設けずに、クサビ状に形成されたベース体４２と、ガイド溝及び取り付け溝との嵌め合いをさらに強固な嵌め合いとすることにより、本発明に係る仮固定手段とすることもできる。この仮固定手段は、例えば、ベース体４２の板厚を、ガイド溝及び取り付け溝の溝幅より僅かに厚くすることにより、ベース体４２全体がガイド溝及び取り付け溝に圧入されるように構成することで実現できる。この場合、ベース体４２の板厚を、全体的に厚くすることもできるが、前端部４２５側のみ厚くしてもクサビ効果が発揮される。
【００５９】
また、本実施形態では、収納ラック４６に溝を形成し、これにベース体４２の縁端部を嵌め込む構成としたが、ベース体４２の縁端部（上端部、下端部、傾斜部）周縁に一条の溝（凹部）を形成するとともに、収納ラック４６に開口部から背面まで延設された一条のリブ（凸部）を形成し、これらの凹凸嵌合により、ガイド手段とすることもできる。
また、この場合には、ベース体４２の溝（凹部）が、収納ラック４６のリブ（凸部）を挟持することになる。さらに、リブ（凸部）の一部又は溝（凹部）の一部を局所的に厚肉形成して、一方を他方に圧入させる圧入構造とすることもできる。
【００６０】
また、本実施形態では、多様な製品形状の実現可能性や優れた摺動性を追求するためにベース体４２と収納ラック４６をともに合成樹脂製としたが、一方又は双方を金属製（鋼など）とすることもできる。
また、各リールモジュール４０において、本実施形態では、ベース体４２の左側にリール４１を配置したが、ベース体４２の右側にリール４１を配置することもできる。
また、本実施形態では、スロットマシンを例に挙げて説明したが、リールユニット（リールモジュール）を備えるパチンコ機やその他の遊技機にも適用することもできる。
【産業上の利用可能性】
【００６１】
本発明は、ベース体を介してリールモジュールを収納ラックに取り付けるリールユニットを備える遊技機に好適に利用することができる。
【符号の説明】
【００６２】
１  スロットマシン
２  メダル投入口
３  スタートレバー
４  リールユニット
４０（４０ａ，４０ｂ，４０ｃ）  リールモジュール
４１（４１ａ，４１ｂ，４１ｃ）  リール
４１１  帯状シート
４１２  リングフレーム
４１３  ホイールフレーム
４２  ベース体
４２１  上端部（被ガイド部）
４２１２  開口側上凸部（圧入構造）
４２２  下端部（被ガイド部）
４２２２  開口側下凸部（圧入構造）
４２３  上端傾斜部
４２３１  背面側上凸部（圧入構造）
４２４  下端傾斜部
４２４１  背面側下凸部（圧入構造）
４３  モータ
４４  光センサ
４５  照明ユニット
４５１  基板ホルダー
４５２  ＬＥＤ基板
４６  収納ラック
４６２１  底面側ガイド溝（ガイド部，圧入構造）
４６３１  上面側ガイド溝（ガイド部，圧入構造）
４６５１  下側取り付け溝（圧入構造）
４６６１  上側取り付け溝（圧入構造）
５（５ａ，５ｂ，５ｃ）  停止ボタン
６  表示窓
７  メダル払出装置
８  表示器
９  スピーカ
１０  制御部
２０  演出制御部
【図１】
2013022046.tif 000003
【図２】
2013022046.tif 000004
【図３】
2013022046.tif 000005
【図４】
2013022046.tif 000006
【図５】
2013022046.tif 000007
【図６】
2013022046.tif 000008
【図７】
2013022046.tif 000009
【図８】
2013022046.tif 000010
【図９】
2013022046.tif 000011
【図１０】
2013022046.tif 000012
【図１１】
2013022046.tif 000013
【手続補正書】
【提出日】平成23年12月27日(2011.12.27)
【手続補正１】
【補正対象書類名】特許請求の範囲
【補正対象項目名】全文
【補正方法】変更
【補正の内容】
【特許請求の範囲】
【請求項１】
外周面に図柄の表された複数のリールを収納するリールユニットを備える遊技機であって、
前記リールユニットは、
前記リール、前記リールを回転駆動させるモータ、及び前記モータを支持するベース体を少なくとも備えるリールモジュールを複数有するとともに、
前記リールモジュールを挿入可能に開口された開口部を有し、前記複数のリールモジュールを収納可能な収納ラックと、
前記収納ラックの上下に形成された、前記開口部から連続するガイド部と、前記ベース体に形成された、前記ガイド部と係合する被ガイド部とからなり、当該ガイド部と被ガイド部とが係合することによって、前記開口部から挿入された前記リールモジュールを、当該開口部からの押し込み操作に応じて、前記ベース体が直立された状態のまま所定の取り付け位置までガイドするガイド手段と、
前記取り付け位置の手前からの押し込み操作によって、前記ガイド手段によりガイドされた前記リールモジュールが前記取り付け位置に到達したときに当該リールモジュールを前記収納ラックに対して揺動不能に仮固定する圧入構造からなり、前記取り付け位置に至った前記リールモジュールを脱抜可能としながら前記収納ラックに仮固定する仮固定手段と、
前記仮固定された前記リールモジュールを脱抜不能に前記収納ラックに固定する本固定手段と、を備える
ことを特徴とする遊技機。
【請求項２】
前記仮固定手段が、前記リールモジュールが前記取り付け位置に到達する手前の所定位置から、前記圧入構造による前記リールモジュールの仮固定を開始し、
前記取り付け位置に到達する手前の所定位置までは、前記仮固定手段による仮固定が作用することなく、前記ガイド手段により前記リールモジュールがガイドされる請求項１記載の遊技機。
【請求項３】
前記仮固定手段が、
前記リールモジュールが前記取り付け位置に到達したときに、前記ガイド部及び被ガイド部が圧入状態で係合する前記ガイド手段からなる請求項１又は２記載の遊技機。
【請求項４】
前記ガイド手段が、前記収納ラックの上下に形成された、前記開口部から連続するガイド溝からなるガイド部と、前記ベース体に形成された、前記ガイド溝と係合する板状体からなる被ガイド部とからなり、
前記仮固定手段が、前記リールモジュールの取り付け位置において、前記被ガイド部の板状体の板厚が、前記ガイド部のガイド溝の溝幅より大きくなる圧入構造からなる請求項３記載の遊技機。
【請求項５】
前記仮固定手段が、前記リールモジュールの取り付け位置において、前記ガイド部と被ガイド部の係合部分に突出して、当該ガイド部と被ガイド部とを圧入状態で係合させる凸部を備える請求項３又は４記載の遊技機。